(57)【特許請求の範囲】
【請求項１】
ファイルサーバを含むネットワークに接続されるとともに、スキャナに接続されて使用される画像読取制御装置において、
ハードディスク装置と、
所定の操作がなされたときに、前記スキャナに対して原稿の読取の開始を指示する読取開始指示部と、
この読取開始指示部によって原稿の読取の開始が指示された前記スキャナから順次出力される画像データを受けて、前記ハードディスク装置内の論理的に連続した記憶領域内に、ファイルヘッダとそのファイルヘッダに続く複数のデータブロックとからなり、各データブロックが、第１種データ登録情報と第１種画像データと第２種データ登録情報と第２種画像データとを、この順で含むブロックであるとともに、第１種データ登録情報が、同じデータブロック内の第２種データ登録情報の先頭位置を示す位置要素情報を含む幾つかの要素情報からなり、第２種データ登録情報が次のデータブロックの先頭位置を示す位置要素情報を含む幾つかの要素情報からなる、画像ファイルを生成する画像ファイル生成部であって、
前記ハードディスク装置に、前記画像ファイルの前記ファイルヘッダを書き込むファイルヘッダ書込手段，
前記スキャナから、あるページに関する画像データが出力される度に、その画像データを処理対象画像データとして取り扱い、第１種画像データの書き込みを未だ行なっていない場合には、前記ファイルヘッダ書込手段によって書き込まれたファイルヘッダとの間に前記第１種データ登録情報を記憶できる記憶領域が確保されるように、その処理対象画像データに応じた前記第１種画像データを前記ハードディスク装置に書き込んだ後、前記第２種データ登録情報の記憶領域が確保されるように、その処理対象画像データに応じた前記第２種画像データを前記ハードディスク装置に書き込み、第１種画像データの書き込みを既に行なっている場合には、前回、書き込みを行なった第２種画像データとの間に前記第１種データ登録情報を記憶できる記憶領域が確保されるように、その処理対象画像データに応じた第１種画像データを前記ハードディスク装置に書き込んだ後、その第１種画像データとの間に前記第２種データ登録情報の記憶領域が確保されるように、前記処理対象画像データに応じた第２種画像データを前記ハードディスク装置に書き込む画像データ書込手段，及び，
この画像データ書込手段によって前記ハードディスク装置に書き込まれた複数の第１種画像データ及び複数の第２種画像データのそれぞれに対して、前記第１種データ登録情報或いは前記第２種データ登録情報の書き込みを行なうデータ登録情報書込手段，を有する画像ファイル生成部と、
この画像ファイル生成部によって前記ハードディスク装置内に生成された前記画像ファイルを前記ファイルサーバに転送する転送部と
を備えることを特徴とする画像読取制御装置。
【請求項２】
前記画像ファイル生成部が有するデータ登録情報書込手段は、ある第１種画像データの書込が前記画像データ書込手段によって開始される前に、その第１種画像データに関する、所定種類の要素情報のそれぞれを仮の内容の情報とした第１種データ登録情報の書込を行ない、その第１種画像データの書込が前記画像データ書込手段によって行なわれた後に、前記所定種類の要素情報のそれぞれを本来の内容の情報に書き換え、ある第２種画像データの書込が前記画像データ書込手段によって開始される前に、その第２種画像データに関する、所定種類の要素情報のそれぞれを仮の内容の情報とした第２種データ登録情報の書込を行ない、その第２種画像データの書込が前記画像データ書込手段によって行なわれた後に、前記所定種類の要素情報のそれぞれを本来の内容の情報に書き換える
ことを特徴とする請求項１記載の画像読取制御装置。
【請求項３】
前記第１種データ登録情報と前記第２種データ登録情報とには、それぞれ、前記画像ファイルに含まれる第１種画像データの個数を示す要素情報である総ページ情報が含まれ、
前記データ登録情報書込手段は、前記ハードディスク装置内に、それぞれ、前記総ページ数情報として仮の情報を含む複数の第１種データ登録情報と、それぞれ、前記総ページ数情報として仮の情報を含む複数の第２種データ登録情報とが記憶された状態が形成されるように、前記画像データ書込手段の動作に同期した形で前記ハードディスク装置に対してデータの書き込みを行ない、前記スキャナによって読み取られた原稿の総枚数を認識したときに、書き込みを行なった複数の第１種データ登録情報及び複数の第２種データ登録情報のそれぞれに対して、総ページ数情報の書き換えを行なう
ことを特徴とする請求項１記載の画像読取制御装置。
【請求項４】
前記画像ファイルが、マルチページＴＩＦＦファイルであることを特徴とする請求項１ないし請求項３のいずれかに記載の画像読取制御装置。
【請求項５】
ファイルサーバを含むネットワークに接続されるとともに、スキャナに接続されて使用される画像読取制御装置であって、
ハードディスク装置と、
サムネールデータ記憶手段と、
所定の操作がなされたときに、前記スキャナに対して原稿の読取の開始を指示する読取開始指示手段と、
この読取開始指示手段によって原稿の読取の開始が指示された前記スキャナから順次出力される各１ページ分の画像データに応じた第１種画像データを前記ハードディスク装置内に保存するとともに、その画像データに応じたサムネール画像データを生成して前記サムネールデータ記憶手段に保存するデータ保存手段と、
前記スキャナからの画像データの出力が終了したときに、前記スキャナによって読み取られた原稿の総枚数を認識するとともに、認識した総枚数と、前記ハードディスク装置に記憶された第１種画像データと、前記サムネール記憶手段に記憶された各サムネールデータとに基づき、前記スキャナによって読み取られた原稿に関するマルチページＴＩＦＦファイルが前記ファイルサーバ内に格納されることになるデータを、順次、前記ファイルサーバに対して送信する送信手段と
を備えることを特徴とする画像読取制御装置。
【請求項６】
前記データ保存手段は、前記スキャナから順次出力される各１ページ分の画像データの圧縮データを前記第１種画像データとして前記ハードディスク装置内に保存し、
前記送信手段は、前記ハードディスク装置に記憶された第１種画像データを前記ファイルサーバに送信するときには、その第１種画像データを復元したデータを送信する
ことを特徴とする請求項５記載の画像読取制御装置。
【請求項７】
前記データ保存手段は、前記スキャナから順次出力される各１ページ分の画像データの、前記マルチページＴＩＦＦファイルにそのまま含める圧縮データを、前記第１種画像データとして、前記ハードディスク装置内に保存する
ことを特徴とする請求項５記載の画像読取制御装置。
【請求項８】
ファイルサーバを含むネットワークに接続されるとともに、スキャナに接続された、ハードディスク装置を有するコンピュータを、
所定の操作がなされたときに、前記スキャナに対して原稿の読取の開始を指示する読取開始指示部と、
この読取開始指示部によって原稿の読取の開始が指示された前記スキャナから順次出力される画像データを受けて、前記ハードディスク装置内の論理的に連続した記憶領域内に、ファイルヘッダとそのファイルヘッダに続く複数のデータブロックとからなり、各データブロックが、第１種データ登録情報と第１種画像データと第２種データ登録情報と第２種画像データとを、この順で含むブロックであるとともに、第１種データ登録情報が、同じデータブロック内の第２種データ登録情報の先頭位置を示す位置要素情報を含む幾つかの要素情報からなり、第２種データ登録情報が次のデータブロックの先頭位置を示す位置要素情報を含む幾つかの要素情報からなる、画像ファイルを生成する画像ファイル生成部であって、
前記ハードディスク装置に、前記画像ファイルの前記ファイルヘッダを書き込むファイルヘッダ書込手段，
前記スキャナから、あるページに関する画像データが出力される度に、その画像データを処理対象画像データとして取り扱い、第１種画像データの書き込みを未だ行なっていない場合には、前記ファイルヘッダ書込手段によって書き込まれたファイルヘッダとの間に前記第１種データ登録情報を記憶できる記憶領域が確保されるように、その処理対象画像データに応じた前記第１種画像データを前記ハードディスク装置に書き込んだ後、前記第２種データ登録情報の記憶領域が確保されるように、その処理対象画像データに応じた前記第２種画像データを前記ハードディスク装置に書き込み、第１種画像データの書き込みを既に行なっている場合には、前回、書き込みを行なった第２種画像データとの間に前記第１種データ登録情報を記憶できる記憶領域が確保されるように、その処理対象画像データに応じた第１種画像データを前記ハードディスク装置に書き込んだ後、その第１種画像データとの間に前記第２種データ登録情報の記憶領域が確保されるように、前記処理対象画像データに応じた第２種画像データを前記ハードディスク装置に書き込む画像データ書込手段，及び，
この画像データ書込手段によって前記ハードディスク装置に書き込まれた複数の第１種画像データ及び複数の第２種画像データのそれぞれに対して、前記第１種データ登録情報或いは前記第２種データ登録情報の書き込みを行なうデータ登録情報書込手段，を有する画像ファイル生成部と、
この画像ファイル生成部によって前記ハードディスク装置内に生成された前記画像ファイルを前記ファイルサーバに転送する転送部と
を備える装置として動作させるためのプログラムが記録されたコンピュータ読取可能な記録媒体。
【請求項９】
ファイルサーバを含むネットワークに接続されるとともに、スキャナに接続された、ハードディスク装置を有するコンピュータを、
サムネールデータ記憶手段と、
所定の操作がなされたときに、前記スキャナに対して原稿の読取の開始を指示する読取開始指示手段と、
この読取開始指示手段によって原稿の読取の開始が指示された前記スキャナから順次出力される各１ページ分の画像データに応じた第１種画像データを前記ハードディスク装置内に保存するとともに、その画像データに応じたサムネール画像データを生成して前記サムネールデータ記憶部に保存するデータ保存手段と、
前記スキャナからの画像データの出力が終了したときに、前記スキャナによって読み取られた原稿の総枚数を認識するとともに、認識した総枚数と、前記ハードディスク装置に記憶された第１種画像データと、前記サムネール記憶手段に記憶された各サムネールデータとに基づき、前記スキャナによって読み取られた原稿に関するマルチページＴＩＦＦファイルが前記ファイルサーバ内に格納されることになるデータを、順次、前記ファイルサーバに対して送信する送信手段とを備える装置として動作させるためのプログラムが記録されたコンピュータ読取可能な記録媒体。
【発明の詳細な説明】
【０００１】
【発明の属する技術分野】
本発明は、画像読取制御装置及びコンピュータ読取可能な記録媒体に関する。
【０００２】
【従来の技術】
近年、ネットワークを利用して、テキストデータや画像データを共有することが盛んに行なわれている。そして、そのような共有を可能とするための装置として、複数ページからなるドキュメントを、スキャナを利用して複数個の画像データに変換し、それらの画像データを、ネットワーク接続されたファイルサーバに管理させることが出来る装置（以下、従来装置と表記する。）も市販されている。
【０００３】
【発明が解決しようとする課題】
上記した従来装置を用いて、あるドキュメントを処理させれば、そのドキュメントを、ファイルサーバにアクセス可能な各ユーザが共有（内容を見る）できることになる。
【０００４】
しかしながら、上記従来装置は、複数個の画像データを含む画像データファイルと、その画像データファイルの構成に関する情報（各ページの画像データがどこに記憶されているかを示す情報）を保持したファイルとを、ファイルサーバに転送する装置となっている。このため、当該従来装置を用いた場合、１ドキュメントを管理するために、２ファイルを管理しなれければならないといった問題と、画像データ化されたドキュメントの内容を実際に見ることができるのは、上記のような２つのファイルを処理することができるソフトを有しているユーザに限られるといった問題が生じていた。
【０００５】
そこで、本発明の課題は、原稿の画像データ化を、その結果が簡単に管理できる形態で行なうことができる装置であって、画像データ化が新規な手順で行なわれる画像読取制御装置を、提供することにある。
【０００６】
また、本発明の他の課題は、コンピュータを、上記のような画像読取制御装置として動作させることができるコンピュータ読取可能な記録媒体を提供することにある。
【０００７】
【課題を解決するための手段】
上記課題を解決するために、本発明の第１の画像読取制御装置は、ハードディスク装置と、所定の操作がなされたときに、スキャナに対して原稿の読取の開始を指示する読取開始指示部と、この読取開始指示部によって原稿の読取の開始が指示されたスキャナから順次出力される画像データを受けて、ハードディスク装置内の論理的に連続した記憶領域内に、ファイルヘッダとそのファイルヘッダに続く複数のデータブロックとからなり、各データブロックが、第１種データ登録情報と第１種画像データと第２種データ登録情報と第２種画像データとを、この順で含むブロックであるとともに、第１種データ登録情報が、同じデータブロック内の第２種データ登録情報の先頭位置を示す位置要素情報を含む幾つかの要素情報からなり、第２種データ登録情報が次のデータブロックの先頭位置を示す位置要素情報を含む幾つかの要素情報からなる、画像ファイルを生成する画像ファイル生成部と、この画像ファイル生成部によってハードディスク装置内に生成された画像ファイルをファイルサーバに転送する転送部とを備える。
【０００８】
そして、第１の画像読取制御装置は、画像ファイル生成部として、ハードディスク装置に、画像ファイルのファイルヘッダを書き込むファイルヘッダ書込手段，スキャナから、あるページに関する画像データが出力される度に、その画像データを処理対象画像データとして取り扱い、第１種画像データの書き込みを未だ行なっていない場合には、ファイルヘッダ書込手段によって書き込まれたファイルヘッダとの間に第１種データ登録情報を記憶できる記憶領域が確保されるように、その処理対象画像データに応じた第１種画像データをハードディスク装置に書き込んだ後、第２種データ登録情報の記憶領域が確保されるように、その処理対象画像データに応じた第２種画像データをハードディスク装置に書き込み、第１種画像データの書き込みを既に行なっている場合には、前回、書き込みを行なった第２種画像データとの間に第１種データ登録情報を記憶できる記憶領域が確保されるように、その処理対象画像データに応じた第１種画像データをハードディスク装置に書き込んだ後、その第１種画像データとの間に第２種データ登録情報の記憶領域が確保されるように、処理対象画像データに応じた第２種画像データをハードディスク装置に書き込む画像データ書込手段，及び，この画像データ書込手段によってハードディスク装置に書き込まれた複数の第１種画像データ及び複数の第２種画像データのそれぞれに対して、第１種データ登録情報或いは第２種データ登録情報の書き込みを行なうデータ登録情報書込手段，を有するものを備える。
【０００９】
すなわち、この第１の画像読取制御装置は、スキャナにより生成された画像データに応じた第１種画像データ、第２種画像データを、各画像データ用のデータ登録情報（第１種、第２種データ登録情報）に含めるべき全て要素情報の内容が確定する前に、ハードディスク装置に書き込む画像データ書込手段を備える。また、画像データ書込手段は、ファイル生成部の動作が完了した後（スキャナによる原稿の読取が完了し、画像データ書込手段とは独立に動作するデータ登録情報書込手段の動作が完了した後）に、ハードディスク装置内の、ファイルヘッダ書込手段によって書きこまれたファイルヘッダで始まる一連の情報を読み出せば、ファイルサーバに転送することができる画像ファイルが読み出せることになる形態で、第１種／第２種画像データの書込を行なう。そして、本画像読取制御装置では、画像データ書込手段等からなる画像ファイル生成部によってハードディスク装置内に生成された画像ファイルが、転送部によって実際にファイルサーバに転送される。
【００１０】
このように、本発明の第１の画像読取制御装置によれば、１つの画像ファイルがファイルサーバ内に生成されるので、複数枚の原稿の画像データ化を、その結果が簡単に管理できる形態で行なえることになる。また、画像ファイルは、各ページに関する第１、第２種画像データを簡単に探し出せる構成を有するので、この画像読取制御装置によって生成された画像ファイルは、ページ単位のアクセスが簡単に行なえるものとなる。なお、この画像ファイルは、独自形式のファイルとしておくことも出来るが、マルチページＴＩＦＦファイルとしておくことが望ましい。
【００１１】
さらに、第１の画像読取制御装置は、スキャナからの各画像データが即座にハードディスク装置に格納される構成を有しているので、この画像読取制御装置は、大容量のメモリを用いずに実現（製造）することが出来る。また、データ登録情報書込手段の動作には時間がかからず、転送部の動作にも時間がかからないので、結局、第１の画像読取制御装置を用いれば、高速に（ほぼ、スキャナが原稿の読取に要する時間に画像ファイルの転送に要する時間を加えた時間で）、原稿の画像データ化を行なえることになる。
【００１２】
本発明の画像読取制御装置を実現するに際しては、データ登録情報書込手段として、ある第１種画像データの書込が画像データ書込手段によって開始される前に、その第１種画像データに関する、所定種類の要素情報のそれぞれを仮の内容の情報とした第１種データ登録情報の書込を行ない、その第１種画像データの書込が画像データ書込手段によって行なわれた後に、所定種類の要素情報のそれぞれを本来の内容の情報に書き換え、ある第２種画像データの書込が画像データ書込手段によって開始される前に、その第２種画像データに関する、所定種類の要素情報のそれぞれを仮の内容の情報とした第２種データ登録情報の書込を行ない、その第２種画像データの書込が画像データ書込手段によって行なわれた後に、所定種類の要素情報のそれぞれを本来の内容の情報に書き換える手段を採用することが出来る。
【００１３】
また、第１種データ登録情報と第２種データ登録情報として、それぞれ、画像ファイルに含まれる第１種画像データの個数を示す要素情報である総ページ情報が含まれるものを用いる場合には、データ登録情報書込手段として、ハードディスク装置内に、それぞれ、総ページ数情報として仮の情報を含む複数の第１種データ登録情報と、それぞれ、総ページ数情報として仮の情報を含む複数の第２種データ登録情報とが記憶された状態が形成されるように、画像データ書込手段の動作に同期した形でハードディスク装置に対してデータの書き込みを行ない、スキャナによって読み取られた原稿の総枚数を認識したときに、書き込みを行なった複数の第１種データ登録情報及び複数の第２種データ登録情報のそれぞれに対して、総ページ数情報の書き換えを行なう手段を用いることが出来る。
【００１４】
本発明の第２の画像読取制御装置は、ファイルサーバを含むネットワークに接続されるとともに、スキャナに接続されて使用される装置であって、ハードディスク装置と、所定の操作がなされたときに、スキャナに対して原稿の読取の開始を指示する読取開始指示手段と、この読取開始指示手段によって原稿の読取の開始が指示されたスキャナから順次出力される各１ページ分の画像データに応じた第１種画像データと、その画像データに応じたサムネール画像データとを、前記ハードディスク装置に保存するデータ保存手段と、スキャナからの画像データの出力が終了したときに、スキャナによって読み取られた原稿の総枚数を認識するとともに、認識した総枚数と、ハードディスク装置に記憶された各第１種画像データと各サムネールデータとに基づき、スキャナによって読み取られた原稿に関するマルチページＴＩＦＦファイルがファイルサーバ内に格納されることになるデータを、順次、ファイルサーバに対して送信する送信手段とを備える。
【００１５】
すなわち、本発明の第２の画像読取制御装置は、スキャナに原稿を読み出させている間には、スキャナによって生成された画像データに応じた第１種画像データ、サムネール画像データを生成する処理と、各画像データを、ハードディスク装置に書き込む処理とが行なわれる。そして、スキャナからの画像データの出力が終了したときに、ハードディスク装置が各種画像データの供給源として用いられて、マルチページＴＩＦＦファイルをファイルサーバ内に生成するためのデータが、順次、ファイルサーバに送信される。
【００１６】
このように、本発明の第２の画像読取制御装置によれば、マルチページＴＩＦＦファイルがファイルサーバ内に生成されるので、複数枚の原稿の画像データ化を、その結果が簡単に管理でき、また、その利用が容易に可能な形態で行なえることになる。
【００１７】
本発明の第２の画像読取制御装置を実現するに際しては、データ保存手段として、スキャナから順次出力される各１ページ分の画像データの圧縮データを第１種画像データとしてハードディスク装置内に保存する手段を採用し、送信手段として、ハードディスク装置に記憶された第１種画像データをファイルサーバに送信するときには、その第１種画像データを復元したデータを送信する手段を採用することが出来る。このような構成を採用すれば、比較的、小容量のハードディスク装置を用いて、多数枚の原稿の画像データ化が行なえる画像読取制御装置を実現できることになる。
【００１８】
また、データ保存手段として、スキャナから順次出力される各１ページ分の画像データの、マルチページＴＩＦＦファイルにそのまま含める圧縮データを、第１種画像データとして、ハードディスク装置内に保存する手段を採用することも出来る。このような手段を採用すれば、比較的、小容量のハードディスク装置を用いて、多数枚の原稿の画像データ化が行なえる画像読取制御装置を実現できることになる。
【００１９】
そして、本発明の各コンピュータ読取可能な記録媒体は、ファイルサーバを含むネットワークに接続されるとともに、スキャナに接続された、ハードディスク装置を有するコンピュータを、上記した本発明の第１或いは第２の画像読取制御装置として動作させるためのプログラムを記録して成る。従って、本発明のコンピュータ読取可能な記録媒体を用いれば、一般的なコンピュータを基に、本発明の第１或いは第２の画像読取制御装置を実現できることになる。
【００２０】
【発明の実施の形態】
以下、本発明の実施の形態を図面を参照して具体的に説明する。
【００２１】
＜第１実施形態＞
本発明の第１実施形態に係る画像読取制御装置は、複数ページの原稿に基づき、それらの原稿を表す複数個の画像データを保持したＴＩＦＦファイル（マルチページＴＩＦＦファイル）を、ネットワーク接続されたファイルサーバ内に生成する処理（以下、サーバースキャン処理と表記する）を実行できる装置である。
【００２２】
まず、図１及び図２を用いて、第１実施形態に係る画像読取制御装置の構成及び使用形態を、説明する。
【００２３】
図１に示したように、第１実施形態に係る画像読取制御装置１０は、画像読取制御装置本体１１と操作装置１２とそれらの接続したケーブル３３とからなる。そして、画像読取制御装置１０は、スキャナ１３及びファイルサーバ４０と、それぞれ、ケーブル３４及び通信媒体３５（本実施形態では、イーサネットケーブル）によって接続された形態で使用される。また、本画像読取制御装置１０を使用する際には、スキャナ１３として、通常、ＡＤＦ１３ａを備えるものが用いられ、専用の装置，或いは、一般的なコンピュータ（一般ユーザのコンピュータ）が、ファイルサーバ４０として使用される。
【００２４】
本画像読取制御装置１０は、上記したサーバースキャン処理に加えて、スキャナ１３に生成させた画像データに画像処理を施して印刷用の画像データを生成、出力するコピー制御処理も実行できるように構成されている。また、画像読取制御装置１０は、プリントサーバとして動作することができるようにも構成されている。このため、画像読取制御装置１０は、通常、図示してあるように、プリンタ５０にも接続された形態で使用される。
【００２５】
画像読取制御装置１０を構成している操作装置１２は、画像読取制御装置１０の、ユーザに対するインタフェースである。本実施形態では、操作装置１２は、液晶パネルとその上に重ねたタッチパネルとからなるタッチスクリーン１２１と、スタートボタン，ストップボタン，テンキー等からなるキー操作部１２２と、画像読取制御装置１０の動作状況を示すための幾つかのＬＥＤ（図示せず）とを、備えている。なお、本実施形態では、この操作装置１２と画像読取制御装置本体１１内のＣＰＵ２１とを中心とした部分が、読取開始指示部として機能し、画像読取制御装置本体１１が、画像ファイル生成部、転送部として機能する。
【００２６】
画像読取制御装置１０には、この操作装置１２を取付可能な各種サイズの専用キャビネットが、オプションとして用意されている。画像読取制御装置１０を使用する際には、通常、接続するスキャナ１３及びプリンタ５０のサイズに応じた形状、例えば、図２に示したような形状の専用キャビネット１５が用いられて、ユーザが操作を行ないやすい位置関係となるように、操作装置１２、スキャナ１３及びプリンタ５０が相互に配置される。
【００２７】
図１に示してあるように、画像読取制御装置本体１１は、ＣＰＵバス３１で相互に接続されたＣＰＵ２１、ＲＯＭ２２、ＲＡＭ２３及びブリッジ２４を備える。また、画像読取制御装置本体１１は、ブリッジ２４に汎用バス（ＰＣＩバス）３２を介して接続されたＨＤＤコントローラ２５、操作パネル用Ｉ／Ｆボード２６、スキャナ用Ｉ／Ｆボード２７、ネットワーク用Ｉ／Ｆボード２８、及び、プリンタ用Ｉ／Ｆボード２９を備える。さらに、画像読取制御装置本体１１は、ＨＤＤコントローラ２５に接続されたＨＤＤ(ハードディスクドライブ；ハードディスク装置)３０を備える。
【００２８】
ブリッジ２４は、ＣＰＵバス３１と汎用バス３２との間のインタフェース回路である。ＨＤＤコントローラ２５は、ＨＤＤ３０の制御回路（ＨＤＤ３０と汎用バス３２との間のインタフェース回路）である。操作装置用Ｉ／Ｆボード２６は、ＣＰＵ２１による操作装置１２（タッチスクリーン１２１及びキー操作部１２２）の制御を可能とするためのインタフェースボードである。操作装置用Ｉ／Ｆボード２６には、タッチスクリーン１２１、キー操作部１２２用の入出力制御回路が、含まれている。スキャナ用Ｉ／Ｆボード２７、プリンタ用Ｉ／Ｆボード２９は、それぞれ、ＣＰＵ２１によるスキャナ１３、プリンタ５０の制御を可能とするためのインタフェースボードである。ネットワーク用Ｉ／Ｆボード２８は、ＣＰＵ２１による通信媒体３５を利用した通信を可能とするためのインターフェースボードである。
【００２９】
ＲＯＭ２２は、画像読取制御装置本体１１を構成しているハードウェアを制御するためのＢＩＯＳ等が格納された不揮発性記憶装置である。ＨＤＤ３０は、オペレーティングシステム、各種ドライバ（スキャナ１３を制御するためのスキャナドライバ、プリンタ５０を制御するためのプリンタドライバ等）、画像読取制御装置１０にサーバースキャン処理やコピー制御処理を実行させるための各種プログラム、等が格納された補助記憶装置である。このＨＤＤ３０は、サーバースキャン処理時には、作業領域として（テンポラリファイルの格納のために）使用される。ＣＰＵ２１は、ＲＯＭ２２、ＨＤＤ３０に格納されている各種のプログラムをＲＡＭ２３上に読み出し、読み出したプログラムに従って画像読取制御装置本体１１内の各部を統合的に制御する回路である。
【００３０】
すなわち、画像読取制御装置１０は、ディスプレイ、キーボードの代わりに操作装置１２が用いられるとともに、サーバースキャン処理等を実行させるための各種プログラムがインストールされた一種のコンピュータとなっている。
【００３１】
以下、第１実施形態に係る画像読取制御装置１０の動作（ＣＰＵ２１による制御動作）を説明する。まず、図３及び図４を用いて、画像読取制御装置１０の全体的な動作を説明する。
【００３２】
図３に示したように、画像読取制御装置１０の電源が投入されると、ＣＰＵ２１は、状態診断処理(ステップＳ１０１）を実行する。この状態診断処理時、ＣＰＵ２１は、まず、画像読取制御装置１０内の各部が正常に機能しているか、動作に必要な機器（スキャナ１３或いはプリンタ５０）が接続されているか、接続されている機器がどのような機種、仕様の機器であるか等を診断、調査する。そして、異常な状態にある部分を見出した場合、ＣＰＵ２１は、その旨をタッチスクリーン１２１（液晶パネル）に表示させ、当該異常を解消するための作業がなされるのを、待機する。
【００３３】
一方、各部が正常に機能することを確認できた場合、ＣＰＵ２１は、接続されている機器の機種、仕様に関する情報等に基づき、コピー制御処理やサーバースキャン処理時に利用する種々の条件データのデフォルト値を決定し、ＲＡＭ２３に記憶する。なお、条件データとは、スキャナ１３やプリンタ５０に関する、ある特定の制御条件を指定するデータ（コピー部数を指定するデータや、コピー色を指定するデータ）のことである。そして、ＣＰＵ２１は、状態診断処理を終了する。
【００３４】
状態診断処理の終了後、ＣＰＵ２１は、操作装置１２のタッチスクリーン１２１に、その時点における状況及びＲＡＭ２３に記憶されている条件データに応じた内容の操作画面を表示させる(ステップＳ１０２)。このステップＳ１０２の処理により表示される操作画面にはさまざまなものがある。例えば、ステップＳ１０１の完了直後に実行されるステップＳ１０２では、図４に示したような、スキャナボタン６１、コピー部数表示領域６２、倍率ボタン６３、倍率表示領域６４、コピー色ボタン６５等を備える基本操作画面が、表示される。
【００３５】
この基本操作画面に設けられているコピー部数表示領域６２は、その時点おけるコピー部数に関する条件データの内容（図では、“１”）が示される領域である。コピー色ボタン６５は、コピー色を設定（変更）したいときにユーザが押下すべき（指で触れるべき）ボタンである。このコピー色ボタン６５は、その時点において設定されているコピー色を示す情報（コピー色に関する条件データに応じた情報；図では、"color"）がその内部に示されるボタンとなっている。倍率表示領域６４は、その時点おけるコピー倍率（拡大率／縮小率）の設定値（コピー倍率に関する条件データの内容）等が示される領域である。倍率ボタン６３は、コピー倍率を変更したいときにユーザが押下すべきボタンである。スキャナボタン６１は、サーバースキャン処理を実行させる際（詳細は後述）に、スタートボタンの押下に先駆けてユーザが押下すべきボタンである。
【００３６】
図４に示したような基本操作画面或いは他の操作画面をステップＳ１０２においてタッチスクリーン１２１に表示させた後、ＣＰＵ２１は、通信媒体３５を介した他装置からの印刷データの受信、操作画面上のボタンの押下（タッチスクリーン１２１への指の接触）、キー操作部１２２内のボタン（キー）の押下等のイベントが発生するのを待機（監視）する状態(ステップＳ１０３；ＮＯ)をとる。
【００３７】
何らかのイベントが発生したことを検出した際（ステップＳ１０３；ＹＥＳ）、ＣＰＵ２１は、発生したイベントに応じた処理（制御）を実行する(ステップＳ１０４〜Ｓ１０６）。例えば、印刷データの受信（受信開始）を認識した場合（ステップＳ１０４；ＮＯ）、ＣＰＵ２１は、ステップＳ１０５において、印刷中であることを示す画面をタッチスクリーン１２１に表示させた後、プリントサーバとして機能する。すなわち、ＣＰＵ２１は、ネットワークＩ／Ｆボード２８に受信されるデータを、ＲＡＭ２３、プリンタ用Ｉ／Ｆボード２９を介してプリンタ５０に供給するための制御を行なう。そして、ＣＰＵ２１は、ステップＳ１０２に戻り、基本操作画面をタッチスクリーン１２１に表示させる。
【００３８】
コピー色ボタン６５が押下されたことを検出した場合（ステップＳ１０４；ＮＯ）、ＣＰＵ２１は、ステップＳ１０５において、それまでのコピー色に関する条件データがカラーを示すものであった場合には、当該条件データをモノクロを示すものに変更する。逆に、それまでのコピー色に関する条件データがモノクロを示すものであった場合には、当該条件データをカラーを示すものに変更する。そして、ＣＰＵ２１は、ステップＳ１０２において、変更後のコピー色が示されたコピー色ボタン６５を有する基本操作画面が表示されるように、操作装置用Ｉ／Ｆボード２６等を介してタッチスクリーン１２１を制御する。
【００３９】
倍率ボタン６３が押下されたことを検出した場合（ステップＳ１０４；ＮＯ）、ＣＰＵ２１は、ステップＳ１０５において、コピー倍率設定用の操作画面を表示すべきであることを認識し、ステップＳ１０２において、コピー倍率設定用の操作画面をタッチスクリーン１２１に表示させる。そして、コピー倍率設定用の操作画面に対して一連の操作が行なわれたときに（ステップＳ１０３、１０４、Ｓ１０５及びＳ１０２からなる処理の何回目かのステップＳ１０２において）、ＣＰＵ２１は、タッチスクリーン１２１に再び基本操作画面を表示させる。
【００４０】
また、基本操作画面の表示中に、キー操作部１２２内の数値キーが押下されたことを検出した場合（ステップＳ１０４；ＮＯ）、ＣＰＵ２１は、ステップＳ１０５において、当該数値キーに応じてコピー部数に関する条件データを変更する処理を行なう。そして、ステップＳ１０２において、変更後のコピー部数がコピー部数表示領域６２内に示された基本操作画面をタッチスクリーン１２１に表示させる。
【００４１】
スキャナボタン６１を除く他のボタンの押下に対しても、ＣＰＵ２１は、倍率ボタン６３或いはコピー色ボタン６５の押下時と同様に、条件データの更新や、操作画面の変更を行なう。そして、基本操作画面が表示されている状態で、スタートボタンが押下された場合には、ステップＳ１０５においてコピー制御処理を行なう。すなわち、ＣＰＵ２１は、設定されている条件でスキャナ１３に画像データを生成させるとともに、生成させた画像データにモアレ除去等の画像処理を施して印刷用の画像データを生成する処理を行なう。そして、ＣＰＵ２１は、生成した画像データを、ユーザが指定した条件でコピーを行なうために必要な制御コマンドとともに、プリンタ用Ｉ／Ｆボード２９を介してプリンタ５０に供給する。
【００４２】
一方、スキャナボタン６１が押下されたことを検出した場合（ステップＳ１０４；ＮＯ）、ＣＰＵ２１は、ステップＳ１０５において、サーバースキャン設定モードに移行したことを記憶し、ステップＳ１０２において、サーバースキャン処理用の各種条件データ（ファイルサーバ５０を指定する条件データ、スキャンの解像度を指定する条件データ等）を、ユーザが、直接的に、或いは、他の操作画面を表示させることによって、変更することが出来るスキャン操作画面を表示する。
【００４３】
そして、サーバースキャン設定モードにある状態でスタートボタンが押下された場合に、ＣＰＵ２１は、サーバースキャンの開始指示が入力されたものと判断（ステップＳ１０４；ＹＥＳ）して、サーバースキャン処理（ステップＳ１０６）を開始する。
【００４４】
以下、サーバースキャン処理の詳細を説明する。まず、図５を用いて、サーバースキャン処理が実行された結果として、ファイルサーバ４０内に生成（格納）される画像データファイルであるＴＩＦＦファイルの構成を説明する。
【００４５】
図５に示したように、画像読取制御装置１０がファイルサーバ４０内に生成するＴＩＦＦファイルは、ファイルヘッダに、スキャンデータ（スキャナ１３が出力した１ページ分のイメージデータ）に関するデータ登録情報，スキャンデータ，サムネールデータに関するデータ登録情報，及び，サムネールデータ（１個のサムネールのイメージデータ）からなるデータを，幾つか繋げたデータを保持したファイルである。
【００４６】
このＴＩＦＦファイル内のファイルヘッダは、ＴＩＦＦファイル内に含まれるイメージデータの内容（個数、各データのサイズ等）に因らずに、その内容を決定できるデータ（自身がＴＩＦＦファイルであることを示す情報等からなるデータ）となっている。
【００４７】
各データ登録情報は、自データ登録情報に後続するイメージデータ（スキャンデータ或いはサムネールデータ）のサイズ（幅及び高さ）と、後続イメージデータの格納位置（ファイルの先頭からのオフセット値）と、後続イメージデータが何ページ目のイメージデータであるかを示すページ番号と、ＴＩＦＦファイルに含まれているスキャンデータの総数を示す総ページ数Ｎと、後続イメージデータがどのようなタイプのデータであるか（非圧縮のビットマップデータであるか、どのような方式で圧縮された圧縮データであるか）を示す圧縮形式データと、次データ登録情報の格納位置（ファイルの先頭からのオフセット値）等を含む。
【００４８】
データ登録情報は、後続イメージデータの格納位置を含んでいることから明らかなように、長さを変えることができる（データ登録情報に含める情報要素の数を変えることができる）情報となっている。また、データ登録情報は、全原稿の読込が終了しないと値が確定しないデータ（総ページ数）を含んでいる。また、データ登録情報は、イメージデータのサイズが確定しないとその内容が確定しないデータ（次データ登録情報の格納位置）を含んでいる。すなわち、あるイメージデータに関する次データ登録情報の格納位置は、そのイメージデータを圧縮データとする場合には、そのイメージデータの圧縮データの生成が完了しないと内容が確定しないデータとなっている。
【００４９】
本画像読取制御装置１０では、このようなＴＩＦＦファイルが、図６に示した手順のサーバースキャン処理によって、ファイルサーバ４０内に生成される。
【００５０】
すなわち、ＣＰＵ２１は、まず、処理しているデータが何ページ目のデータであるかを記憶しておくための変数ｉを“０”に初期化（ステップＳ２０１）し、スキャナ１３に原稿の読取開始を指示する（ステップＳ２０２）。次いで、ＣＰＵ２１は、ＨＤＤ３０内に、テンポラリファイルを作成するとともに、そのテンポラリファイルに、所定内容のファイルヘッダを書きこむ（ステップＳ２０３）。次いで、ＣＰＵ２１は、変数ｉに“１”を加算（ステップＳ２０４）し、ＨＤＤ３０内のテンポラリファイルに、ｉページ目のスキャンデータ（以下、スキャンデータ＃ｉと表記する）に関するデータ登録情報を、既に書き込みが行なわれているデータの次位置に書き込む（ステップＳ２０５）。このステップにおいて、ＣＰＵ２１は、内容が確定していない総ページ数と次データ登録情報格納位置として、それぞれ、対応する長さの特定内容のダミーデータを含むデータ登録情報を、テンポラリファイルに書きこむ。
【００５１】
次いで、ＣＰＵ２１は、スキャナ１３から送信されてくるイメージデータ（スキャンデータの一部）を受信するとともに、そのイメージデータからサムネール用のデータを抽出してＲＡＭ２３上に記憶する（ステップＳ２０６）。そして、ＣＰＵ２１は、サーバースキャンの実行条件として圧縮が必要とされる条件が指定されていた場合（ステップＳ２０７；ＹＥＳ）、受信しているイメージデータを、所定の圧縮方式で圧縮（ステップＳ２０８）して、ＨＤＤ３０内のテンポラリファイルに書き込む（ステップＳ２０９）。一方、サーバースキャンの実行条件として圧縮が必要とされる条件が指定されていなかった場合（ステップＳ２０７；ＮＯ）、ＣＰＵ２１は、受信したイメージデータを、そのまま、テンポラリファイルに書きこむ（ステップＳ２０９）。
【００５２】
ＣＰＵ２１は、１ページ分のイメージデータ（スキャンデータ）に関する処理が完了するまで、ステップＳ２０６〜Ｓ２０９の処理を繰り返して実行する（ステップＳ２０６〜Ｓ２１０）。そして、１ページ分のイメージデータの処理が完了したとき（ステップＳ２１０；ＹＥＳ）、換言すれば、ＲＡＭ２３上にサムネールデータ＃ｉが用意され、テンポラリファイル内にスキャンデータ＃ｉが記憶されたときに、スキャンデータ＃ｉに関するデータ登録情報内の、値が確定したダミーデータ（次データ登録情報格納位置）を実際のデータに書き換える（ステップＳ２１１）。次いで、ＣＰＵ２１は、サムネールデータ＃ｉのデータ登録情報（総ページ数がダミーデータであるもの）を、テンポラリファイルに書き込む（ステップＳ２１２）とともに、ＲＡＭ２３上のサムネールデータ＃ｉをテンポラリファイルに書き込む（ステップＳ２１３）。
【００５３】
そして、ＣＰＵ２１は、全ページの処理が終了していなかった場合（ステップＳ２１４；ＮＯ）には、ステップＳ２０４からの処理を再び実行する。そして、ＣＰＵ２１は、全ページの処理が完了したとき（ステップＳ２１４；ＹＥＳ）には、テンポラリファイル内の各データ登録情報に、総ページ数（すなわち、その時点におけるｉ値）を書き込み（ステップＳ２１５）、そのテンポラリファイルが、指定されているファイルサーバ４０（サーバースキャンの実行条件として与えられているアドレスを有する機器）に送信されるよう各部を制御し、その送信の完了後、ＨＤＤ３０内のテンポラリファイルを消去する（ステップＳ２１６）。なお、このステップＳ２１６における送信処理を、ＣＰＵ２１は、ＦＴＰプロトコルにより行なう。そして、ＣＰＵ２１は、サーバースキャン処理を終了し、ステップＳ１０２（図３）からの処理を実行する。
【００５４】
以上、詳細に説明したように、第１実施形態に係る画像読取制御装置１０では、スキャナ１３により生成されたデータに応じたスキャナデータ（第１種画像データ）、サムネールデータ（第２種画像データ）が、各データ用のデータ登録情報（第１種、第２種データ登録情報）に含めるべき全て要素情報の内容が確定する前に、ＨＤＤ３０に書き込まれる。その際、画像読取制御装置１０では、ＨＤＤ３０内の、ファイルヘッダで始まる一連の情報を読み出せば、ファイルサーバ４０に転送することができるＴＩＦＦファイルが読み出せることになる形態で、各スキャナデータ、サムネールデータの書込が行なわれる。また、各データ登録情報のテンポラリファイルへの書き込みは、内容が確定していない要素情報をダミーデータとしたデータ登録情報の書き込みが行なわれた後、内容が確定した段階でそこに含まれるダミーデータを書き換える形態で、行なわれる。そして、そのような手順で作成されたテンポラリファイル（ＴＩＦＦファイル）が、ファイルサーバに転送される。
【００５５】
従って、この画像読取制御装置１０を用いれば、高速に、使い勝手の良い画像データファイルをファイルサーバ４０内に用意できることになる。
【００５６】
＜第２実施形態＞
本発明の第２実施形態に係る画像読取制御装置は、異なる手順のサーバースキャン処理が実行されるように、第１実施形態に係る画像読取制御装置１０を変形したものである。このため、以下では、第１実施形態の説明時と同じ符号を用いて、第２実施形態に係る画像読取制御装置１０で実行されるサーバースキャン処理のみを説明することにする。
【００５７】
図７に、第２実施形態に係る画像読取制御装置１０で実行されるサーバースキャン処理の流れ図を示す。
【００５８】
図示したように、サーバースキャン処理時、画像読取制御装置本体１１内のＣＰＵ２１は、まず、処理しているデータが何ページ目のデータであるかを記憶しておくための変数ｉを“０”に初期化（ステップＳ３０１）し、スキャナ１３に原稿の読取開始を指示する（ステップＳ３０２）。次いで、ＣＰＵ２１は、スキャナ１３から送信されてくるイメージデータ（スキャンデータの一部）を受信するとともに、そのイメージデータからサムネール用のデータを抽出してＲＡＭ２３上に記憶する（ステップＳ３０４）。そして、ＣＰＵ２１は、サーバースキャンの実行条件として圧縮が必要とされる条件が指定されていた場合（ステップＳ３０５；ＹＥＳ）には、受信しているイメージデータを圧縮（ステップＳ３０６）して、ＨＤＤ３０内のスキャンデータ用テンポラリファイル＃ｉに書き込む（ステップＳ３０７）。一方、サーバースキャンの実行条件として圧縮が必要とされる条件が指定されていなかった場合（ステップＳ３０５；ＮＯ）、ＣＰＵ２１は、受信したイメージデータを、そのまま、スキャンデータ用テンポラリファイル＃ｉに書きこむ（ステップＳ３０７）。
【００５９】
ＣＰＵ２１は、１ページ分のイメージデータ（スキャンデータ）に関する処理が完了するまで、ステップＳ３０４〜Ｓ３０７の処理を繰り返して実行する（ステップＳ３０４〜Ｓ３０８）。そして、１ページ分のイメージデータの処理が完了したとき（ステップＳ３０８；ＹＥＳ）、ＲＡＭ２３上のサムネールデータ＃ｉを保持したサムネール用テンポラリファイル＃ｉをＨＤＤ３０内に作成する（ステップＳ３０９）。そして、ＣＰＵ２１は、全ページの処理が終了していなかった場合（ステップＳ３１０；ＮＯ）には、ステップＳ３０３からの処理を再び実行する。
【００６０】
一方、上記のような処理を繰り返した結果として、全ページの処理が完了した場合（ステップＳ３１０；ＹＥＳ）、図８に示したように、ＣＰＵ２１は、処理するデータの対応ページ番号を記憶するための変数ｊを“１”に初期化（ステップＳ３１１）した後、ファイルヘッダをファイルサーバ４０に送信する（ステップＳ３１２）。次いで、ＣＰＵ２１は、スキャンデータ用テンポラリファイル＃ｊ及びサムネール用テンポラリファイル＃ｊのサイズ、ｉ値等に基づき、スキャンデータ＃ｊに関するデータ登録情報、及び、サムネールデータ＃ｊに関するデータ登録情報に必要とされるデータを特定する（ステップＳ３１３）。そして、スキャンデータ＃ｊに関するデータ登録情報とスキャンデータ＃ｊとを、ファイルサーバ４０に送信（ステップＳ３１４）し、さらに、サムネールデータ＃ｊに関するデータ登録情報とサムネールデータ＃ｊとを、ファイルサーバ４０に送信する（ステップＳ３１５）。次いで、ＣＰＵ２１は、ｊ値とｉ値とが一致しているか否かを判断（ステップＳ３１６）し、両値が一致していなかった場合（ステップＳ３１６；ＮＯ）には、ｊ値を“１”インクリメント（ステップＳ）３１７）した後、ステップＳ３１３からの処理を、再び実行する。そして、ＣＰＵ２１は、ｊ＝ｉが成立したとき（ステップＳ３１６；ＹＥＳ）に、サーバースキャン処理を終了する。
【００６１】
この第２実施形態に係る画像読取制御装置１０によっても、高速に、使い勝手の良い画像データファイルをファイルサーバ４０内に用意できることになる。
【００６２】
＜変形形態＞
各実施形態に係る画像読取制御装置１０は、各種の変形を行うことができる。例えば、第１実施形態に係る画像読取制御装置１０を、ステップＳ２０５において、データ登録情報の書き込みは行なわれず、データ登録情報を書き込むための領域の確保（スキャンデータの書込開始位置の決定）が行なわれ、ステップＳ２１２において、総ページ数を除く全てのデータが書き込まれるように変形しても良い。また、各実施形態に係る画像読取制御装置１０は、スキャンデータのみが圧縮されることがあり、また、あるスキャンデータが圧縮される場合には、全てのスキャンデータが圧縮される装置であったが、各ページのスキャンデータ、サムネイルデータをどのようなデータとするかを、ユーザが個別に指定できるように画像読取制御装置１０を構成しても良い。
【００６３】
また、第２実施形態に係る画像読取制御装置１０を、ＨＤＤ３０内に、スキャンデータ、サムネールデータを全て圧縮して格納するように構成しておくとともに、通常のデータとしてＴＩＦＦファイルに含めるべきデータに関しては、ＨＤＤ３０から読み出したデータを復元してから送信するように構成しておいても良い。さらに、第２実施形態に係る画像読取制御装置１０を、ＨＤＤ３０内に、スキャンデータ、サムネールデータを、ＴＩＦＦファイルに含めることができない（望ましくない）圧縮方式で圧縮して格納するように構成しておくとともに、ＨＤＤ３０内の各データを復元して送信するように構成しておいても良い。また、第２実施形態に係る画像読取制御装置１０を、ＨＤＤ３０内に、スキャンデータ、サムネールデータを、ＴＩＦＦファイルに含めることができない（望ましくない）圧縮方式で圧縮して格納するように構成しておくとともに、ＨＤＤ３０内の各データを復元し、必要である場合には、ＴＩＦＦファイル用の圧縮データを生成して送信するように構成しておいても良い。ただし、この場合、ＴＩＦＦファイル用の圧縮データの生成が完了するまで、そのデータに関するデータ登録情報の送信が開始できないことになる。
【００６４】
また、スキャナ１３（及びプリンタ５０）と画像読取制御装置１０とを同じ筐体内に収めておいても良い。換言すれば、複写機に、本画像読取制御装置１０の機能を付与しておいても良い。
【００６５】
【発明の効果】
本発明の画像読取制御装置、コンピュータ読取可能な記録媒体によれば、高速に、使い勝手の良い画像データファイルをファイルサーバ内に用意できることになる。
【図面の簡単な説明】
【図１】  本発明の第１実施形態に係る画像読取制御装置の構成及び使用形態を示したブロック図である。
【図２】  第１実施形態に係る画像読取制御装置が使用された構成された装置の外観図である。
【図３】  第１実施形態に係る画像読取制御装置の全体的な動作手順を示した流れ図である。
【図４】  第１実施形態に係る画像読取制御装置のタッチスクリーンに表示される基本操作画面の説明図である。
【図５】  第１実施形態に係る画像読取制御装置が作成するＴＩＦＦファイルの説明図である。
【図６】  第１実施形態に係る画像読取制御装置で実行されるサーバースキャン処理の流れ図である。
【図７】  第２実施形態に係る画像読取制御装置で実行されるサーバースキャン処理の流れ図である。
【図８】  第２実施形態に係る画像読取制御装置で実行されるサーバースキャン処理の、図７に続く流れ図である。
【符号の説明】
１０  画像読取制御装置
１１  画像読取制御装置本体
１２  操作装置
１３  スキャナ
２１  ＣＰＵ
２２  ＲＯＭ
２３  ＲＡＭ
２４  ブリッジ
２５  ＨＤＤコントローラ
２６  操作パネル用Ｉ／Ｆボード
２７  スキャナ用Ｉ／Ｆボード
２８  ネットワーク用Ｉ／Ｆボード
２９  プリンタ用Ｉ／Ｆボード
３０  ＨＤＤ
４０  ファイルサーバ
５０  プリンタ
１２１  タッチスクリーン
１２２  キー操作部
【図１】
0003654124.tif 000002
【図２】
0003654124.tif 000003
【図３】
0003654124.tif 000004
【図４】
0003654124.tif 000005
【図５】
0003654124.tif 000006
【図６】
0003654124.tif 000007
【図７】
0003654124.tif 000008
【図８】
0003654124.tif 000009